(57)【要約】【課題】コストアップを抑え、土等が混入しても詰まらない切断装置及びこれを備えた残幹処理装置を提供する。【解決手段】残幹処理装置１は、残幹を掘起して引き込む掘起装置１５と、残幹を搬送・切断する切断装置２０を備える。切断装置２０は、残幹を後方側に搬送する搬送ローラ２１，２２と、搬送された残幹を細断して移送する切断ロータ２５と、細断された残幹の断片を移送するシュータ５０を備える。切断ロータ２５は、搬送ローラ２２の後方側に配置された回転駆動軸２６の軸方向中央部に配設された複数の切断刃２７と、回転駆動軸２６の左右両側に設けられた一対のブロワ３０を備える。切断ロータ２５とブロワ３０の送風羽根３１を囲む外側ケース２８の後側上部に、一対のブロワ３０の幅方向外側端部間の距離と略同一幅を有した排出口２８ａに連通するシュータ５０を設ける。切断刃２７の各先端部は、回転駆動軸中央振り分けでブロワ側に屈曲する。【選択図】図２
2008295363.tif 000002
【特許請求の範囲】
【請求項１】
機体に上下方向に所定の隙間を有して対向配置されて回転自在に支持され、処理対象物の一方側端部を前記隙間内に引き込んで搬送する一対の搬送ローラと、
前記一対の搬送ローラよりも搬送方向下流側に回転自在に支持された回転駆動軸に放射状に取り付けられた複数の切断刃と、
前記複数の切断刃の両側方に配設された一対のブロワと、
前記一対のブロワの幅方向外側端部間の距離と略同一幅を有し、前記複数の切断刃によって処理対象物を細断するのと略同時に前記一対のブロワにより放出される処理対象物の断片を誘導して所望の方向に放出するシュータと
を備えたことを特徴とする切断装置。
【請求項２】
前記複数の切断刃が取り付けられた回転駆動軸の軸方向両側部に前記ブロワが設けられていることを特徴とする請求項１に記載の切断装置。
【請求項３】
前記複数の切断刃の各先端部は、前記回転駆動軸の軸方向中央振り分けでブロワ側に屈曲していることを特徴とする請求項１又は２に記載の切断装置。
【請求項４】
走行機体に装着され、該走行機体の進行によって進行方向前方側に向けて押し倒された残幹に対して該残幹の根部を掘り起こす掘起装置と、前記掘起部によって掘り起こされた残幹に対して処理を施す切断装置を備え、
前記切断装置は、前記掘起装置によって掘り起こされた残幹の根部を該根部側から引き込んで搬送する一対の搬送ローラと、該一対の搬送ローラよりも搬送方向下流側に回転自在に支持された回転駆動軸に放射状に取り付けられた複数の切断刃と、該複数の切断刃の両側方に設けられた一対のブロワと、該一対のブロワの幅方向外側端部間の距離と略同一幅を有し、前記複数の切断刃によって残幹を細断するのと略同時に前記一対のブロワにより放出される残幹の断片を誘導して所望の方向に放出するシュータを有することを特徴とする残幹処理装置。
【発明の詳細な説明】
【技術分野】
【０００１】
本発明は、処理対象物の一方側端部から引き込んで該端部が先行するように処理対象物を搬送して細断して移送する切断装置及びこれを備えた残幹処理装置に関する。
【背景技術】
【０００２】
このような切断装置によって処理される処理対象物には、葉たばこ、茶等の葉部のみを収穫する作物がある。このような作物は、収穫後に圃場の畝に根付いたままの幹が残されることになるが、新たに作物の栽培を行なうためにはこの残幹を処理して畝を栽培可能な状態に戻す必要がある。この残幹処理の方法としては、残幹を土中に鋤き込むことが考えられるが、特に葉たばこ等は、残幹の根部に立ち枯れ病の菌が繁殖することが指摘されており、この残幹を根部ごと畝から引き抜いて回収することが推奨されている。
【０００３】
この残幹の引き抜き作業は、従来は手作業で行なわれていたが、残幹から土壌に延びる根部は放射状に拡がっていて重労働であることから、これを機械化し、畝に植えられた残幹を回収して切断する切断装置を備えた残幹処理装置が開発されている（特許文献１参照）。
【０００４】
この残幹処理装置７０は、図３（ａ）（側面図）及び図３（ｂ）（平面図）に示すように、走行機体９０の後部に装着され、走行機体９０の前進走行に伴って前進しながら残幹処理を行うものである。残幹処理装置７０は、処理対象の残幹Ｚが植えられた畝Ｕを跨いで進行する機体フレーム１０と、走行機体９０の前進走行によって進行方向前方に向けて押し倒された残幹Ｚに対して、残幹Ｚの根部Ｚｎを掘り起こすと共に該根部側から残幹Ｚを機内に引き込む掘起装置１５と、引き込まれた残幹Ｚを搬送して切断処理する切断装置７１と、切断装置７１により処理された残幹Ｚの断片を収容する収容装置６０とを備える。
【０００５】
切断装置７１は、掘起装置１５によって引き込まれた残幹Ｚを根部Ｚｎが先行するように後方側に搬送するとともに搬送しながら残幹Ｚに付着した土を落とすための複数の搬送ローラ２１，２２と、搬送ローラ２１，２２よりも搬送方向下流側に回転自在に支持された回転駆動軸２６に軸方向に所定間隔を有して配置されて放射状に取り付けられた複数の切断刃２７を有した切断ロータ７３と、切断ロータ７３によって細断されて機体幅の一方向に移送された断片を吹き出すブロワ７５と、該ブロワ７５から吹き出された断片を所定位置に移送するシュータ７７を備えて構成されている。
【０００６】
【特許文献１】特開２００５−１８５２４４号公報
【発明の開示】
【発明が解決しようとする課題】
【０００７】
この従来の残幹処理装置７０のブロワ７５は、切断ロータ７３の軸方向一方側端部に切断ロータ７３と独立して設けられている。このため、残幹処理装置７０は、構造が複雑化し、部品点数が増大化してコストアップを招くという課題があった。
【０００８】
また切断ロータ７３によって細断され残幹Ｚの断片は、切断ロータ７３の回転に伴って発生する空気の流れによってブロワ７５側に移動するようになっているが、搬送ローラ２１，２２によって残幹Ｚが搬送される際に、残幹Ｚに付着した土が十分に落とされないままの残幹Ｚが切断ロータ７３に搬送されると、質量が大きい土によって、細断された断片のブロワ７５側への移動が邪魔されて、切断ロータ７３の周辺に断片が詰まる場合があった。
【０００９】
本発明は、このような課題を解消するためになされたものであり、切断装置のコストアップを抑え、切断装置内に土等が混入しても断片が詰まる虞がない切断装置及びこれを備えた残幹処理装置を提供することを目的とする。
【課題を解決するための手段】
【００１０】
このような課題を解決するため、本発明は、以下の特徴を有する。特徴の一つは、機体（例えば、実施形態における機体フレーム１０）に上下方向に所定の隙間を有して対向配置されて回転自在に支持され、処理対象物（例えば、実施形態における残幹Ｚ）の一方側端部を隙間内に引き込んで搬送する一対の搬送ローラと、一対の搬送ローラよりも搬送方向下流側に回転自在に支持された回転駆動軸に放射状に取り付けられた複数の切断刃と、複数の切断刃の両側方に配設された一対のブロワと、一対のブロワの幅方向外側端部間の距離と略同一幅を有し、複数の切断刃によって処理対象物を細断するのと略同時に一対のブロワにより放出される処理対象物の断片を誘導して所望の方向に放出するシュータとを備えたことを特徴とする。ここで、一対のブロワの幅方向外側端部間の距離とは、ブロワ間にある切断刃の配置された幅方向距離と、一対のブロワそのものの幅方向距離を含めたものを意味している。
【００１１】
この特徴によれば、複数の切断刃の両側方に一対のブロワを設けることで、ブロワが複数の切断刃の一方側にのみ設けた場合と比較して、ブロワの吹き出し性能を向上することができる。このため、質量の大きな土が混入しても、ブロワによってこの土をシュータ側へ移動させることができる。またシュータは、一対のブロワの幅方向外側端部間の距離と略同一幅を有し、複数の切断刃によって処理対象物を細断するのと略同時に一対のブロワにより放出される処理対象物の断片を誘導して所望の方向に放出することにより、シュータ側へ移動した処理対象物の断片や混入した土を迅速にシュータから放出することができる。従って、切断装置内に断片等が詰まる虞を防止することができる。
【００１２】
また特徴の一つは、複数の切断刃が取り付けられた回転駆動軸の軸方向両側部にブロワが設けられていることを特徴とする。
【００１３】
この特徴によれば、複数の切断刃が取り付けられた回転駆動軸の軸方向両側部にブロワを設けることで、処理対象物を切断する部分とブロワを一体的に構成することができ、切断装置の構造の簡素化が可能となり、切断装置のコストアップを抑制することができる。
【００１４】
また特徴の一つは、複数の切断刃の各先端部が、回転駆動軸の軸方向中央振り分けでブロワ側に屈曲していることを特徴とする。
【００１５】
この特徴によれば、複数の切断刃の各先端部が回転駆動軸の軸方向中央振り分けでブロワ側に屈曲していることで、切断刃によって切断された断片や混入した土は、回転駆動軸の軸方向中央を境にして軸方向両側に略均等に分かれてブロワ側に移動する。このため、ブロワは、複数の切断刃によって同時期に細断した断片の半分の量をシュータ側に吹き出せよいので、ブロワの吹き出し性能が向上して切断装置内に断片が詰まる事態をより効果的に防止することができる。
【００１６】
また特徴の一つは、走行機体に装着され、該走行機体の進行によって進行方向前方側に向けて押し倒された残幹に対して該残幹の根部を掘り起こす掘起装置と、掘起部によって掘り起こされた残幹に対して処理を施す切断装置を備え、切断装置は、掘起装置によって掘り起こされた残幹の根部を該根部側から引き込んで搬送する一対の搬送ローラと、該一対の搬送ローラよりも搬送方向下流側に回転自在に支持された回転駆動軸に放射状に取り付けられた複数の切断刃と、該複数の切断刃の両側方に設けられた一対のブロワと、該一対のブロワの幅方向外側端部間の距離と略同一幅を有し、複数の切断刃によって残幹を細断するのと略同時に一対のブロワにより放出される残幹の断片を誘導して所望の方向に放出するシュータを有した残幹処理装置であることを特徴とする。
【００１７】
この特徴によれば、残幹処理装置は掘起装置と切断装置を備え、切断装置は複数の切断刃の両側方に設けられた一対のブロワと、該一対のブロワの幅方向外側端部間の距離と略同一幅を有し、複数の切断刃によって残幹を細断するのと略同時に一対のブロワにより放出される残幹の断片を誘導して所望の方向に放出するシュータを有することで、ブロワの吹き出し性能が向上して、混入した質量の大きな土を、ブロワによってシュータ側へ移動することができ、シュータ側へ移動した残幹の断片や混入した土を迅速にシュータから放出することができる。従って、切断装置内に断片等が詰まる虞のない残幹処理装置を提供することができる。
【発明の効果】
【００１８】
本発明に係わる切断装置及びこれを備えた残幹処理装置によれば、上記特徴を有することによって、切断装置の構造が簡略化してコストアップを抑え、切断ロータ内に断片が詰まる虞のない切断装置及びこれを備えた残幹処理装置を提供することができる。
【発明を実施するための最良の形態】
【００１９】
以下、本発明に係わる切断装置の好ましい実施の形態を図１及び図２に基づいて説明する。本実施の形態は、各種の切断装置のうち、葉たばこ、ひまわり及びトウモロコシ等の残幹を細断するために用いられる切断装置を搭載した残幹処理装置について説明する。なお、説明の都合上、図１（側面図）及び図２（ａ）（平面図）に示す矢印の方向を前後方向及び左右方向として、以下説明する。
【００２０】
残幹処理装置１は、図１及び図２（ａ）に示すように、走行機体９０の後部に設けられた三点リンク連結機構（図示せず）に装着されて、走行機体９０の前進走行に応じて残幹処理作業を行なうものである。残幹処理装置１は、処理対象の残幹Ｚが植えられた畝Ｕを跨いで進行する機体フレーム１０と、機体フレーム１０に装備され、機体フレーム１０の前進動によって進行方向前方に向けて押し倒された残幹Ｚに対して、残幹Ｚの根部Ｚｎを掘り起こすと共に該根部側から残幹Ｚを機内に引き込む掘起装置１５と、引き込まれた残幹Ｚを搬送して切断処理する切断装置２０と、切断装置２０により処理された残幹Ｚの断片を収容する収容装置６０とを備える。
【００２１】
機体フレーム１０は、内側に孔部１１ａが形成された下部枠体１１と、この後側下部に取り付けられた左右一対の後輪１２と、下部枠体１１の左右両側に取り付けられて上方へ延びる左右一対の外側フレーム１３とを有してなる。後輪１２は下部枠体１１に回動自在に設けられているので、機体フレーム１０は、走行機体９０に良く追従し、安定した作業が行なえる。また、非作業時には、下部枠体１１の前側下部に回動自在な前輪を着脱可能に備えることで、走行機体９０と分離した状態での移動が容易となる。
【００２２】
下部枠体１１の前側には、走行機体９０の後部に設けられた三点リンク連結機構に装着される装着部１７が設けられている。装着部１７は、その上側の左右方向中央部に入力軸を備えた入力部１８を有し、入力軸は、走行機体９０のＰＴＯ軸からの動力を図示しない伝動軸を介して伝達されるようになっている。
【００２３】
左右一対の外側フレーム１３間には、前述した掘起装置１５及び切断装置２０が装着されている。掘起装置１５は、機体フレーム１０の最前部に配置されて残幹Ｚの根部Ｚｎを掘り起こすと共に根部Ｚｎから残幹Ｚを機内に引き込む掘起ロータ１６を備える。掘起ロータ１６は、一対の外側フレーム１３の前端部間に回転自在に支持されている。
【００２４】
掘起装置１５は、入力部１８の入力軸に伝達された動力が入力部１８及び掘起装置１５間に設けられた動力伝達機構を介して伝達されて駆動するようになっている。掘起ロータ１６に動力が伝達されると、掘起ロータ１６は、残幹Ｚの根部Ｚｎを下側から上側へすくい上げる方向（矢印Ａ方向）に回転する。その結果、残幹Ｚは、その根部Ｚｎが畝から掘り起こされると共に根部Ｚｎが先行するように掘起ロータ１６の回転方向下流側に搬送されて、機体フレーム１０内に引き込まれる。
【００２５】
切断装置２０は、掘起装置１５の後方に設けられ、掘起装置１５によって引き込まれた残幹Ｚを根部Ｚｎが先行するように後方側に搬送しながら該残幹Ｚに付着した土を落とす処理を行なう上下一対の搬送ローラ２１，２２と、これらの搬送ローラ２１，２２により搬送された残幹Ｚを細断して所定方向に移送する切断ロータ２５と、切断ロータ２５によって移送された断片を所定位置に移送するシュータ５０とを備える。
【００２６】
上下一対の搬送ローラ２１，２２は、掘起ロータ１６の上方後側に上下方向に所定の隙間を有して対向配置されて回転自在に支持され、残幹Ｚの根部Ｚｎ側を隙間内に引き込んで根部Ｚｎが先行するように残幹Ｚを後方側へ搬送する。また一対の搬送ローラ２２の後方には、後方に搬送される残幹Ｚを切断ロータ２５に案内する案内ロータ２３が回転自在に設けられている。
【００２７】
搬送ローラ２１，２２の各表面部には、周方向に所定間隔を有して放射状に延びるとともに軸方向に直線状に配置された突起部２１ａ，２２ａが複数設けられている。突起部２１ａ，２２ａは残幹Ｚに当接してこれを後方側へ送り出す機能を有すると共に、残幹Ｚに付着した土を落とす機能を有する。
【００２８】
搬送ローラ２１と掘起ロータ１６との間の外側フレーム１３には、後方側に進むに従って内側に傾く案内板１９が左右に一対取り付けられている。これらの案内板１９は掘起ロータ１６によって掘り起こされて引き込まれた残幹Ｚを機体フレーム１０の幅方向中央部側に寄せる働きをする。
【００２９】
切断ロータ２５は、案内ローラ２３の後方位置に回転自在に支持された回転駆動軸２６の軸方向中央部に軸方向に所定間隔を有して配置されて放射状に取り付けられた複数の切断刃２７と、これらの切断刃２７よりも外側の回転駆動軸２６に設けられた左右一対のブロワ３０とを備える。回転駆動軸２６は、搬送ローラ２１，２２によって搬送された残幹Ｚを複数の切断刃２７が上方から下方へ切断する方向（矢印Ｂ方向）に回転する。
【００３０】
切断ロータ２５は、図２（ａ）及び図２（ｂ）（部分背面図）に示すように、外側ケース２８によって囲まれている。外側ケース２８は、その幅方向両端部が左右一対の外側フレーム１３の内面に接続した状態で取り付けられ、外側ケース２８及び外側フレーム１３によって、切断ロータ２５を囲む箱状体を形成している。この箱状体は、その幅方向中央部の前側と後側上部が開口している。箱状体の前側開口部は搬送ローラ２１によって搬送された残幹Ｚを受け入れるための受入開口部であり、後側上部の開口部は細断された残幹Ｚの断片を排出するための排出口２８ａである。排出口２８ａは左右一対のブロワ３０の幅方向外側端部間の距離Ｌと略同一幅を有して開口している。箱状体の受入開口部の左右方向両側部の前側には、搬送された残幹Ｚを切断刃２７のある中央側へ案内する案内板２４が一対の外側フレーム１３の各内面に取り付けられている。このため、搬送ローラ２１によって搬送された残幹Ｚが送風羽根３１に接触する虞はない。
【００３１】
切断ロータ２５は、残幹Ｚを細断する機能の他に細断した残幹の断片を移送する機能も有している。この断片移送機能は、切断刃２７とブロワ３０によって行われている。切断刃２７の先端部２７ａは、回転駆動軸２６の軸方向中央部を境にして軸方向中央振り分けでブロワ３０側に屈曲している。このため、切断ロータ２５が回転すると、回転駆動軸２６の軸方向中央部からブロワ３０側に流れる気流が発生して、残幹Ｚの断片はこの気流とともに左右に略均等に分かれて移動する。
【００３２】
ブロワ３０は、回転駆動軸２６の軸方向両端部に取り付けられた送風羽根３１と、送風羽根３１の外周を囲む前述した外側ケース２８とを有してなる。このため、回転駆動軸２６が回転すると、送風羽根３１が回転して外側ケース２８内に気流が発生し、切断された残幹Ｚの断片が排出口２８ａ側に移動する。このように、切断ロータ２５の回転駆動軸２６がブロワ３０の回転軸として利用され、また切断ロータ２５を囲む外側ケース２８が送風羽根３１を囲むケースとしても利用されており、部品の共通化が図れ、切断装置２０を備えた残幹処理装置１のコストアップを抑制することができる。
【００３３】
外側ケース２８の後側上部には、図１に示すように、排出口２８ａに連通して細断された断片を吐出するシュータ５０が接続されている。シュータ５０は断面コ字状に形成されて後方斜め上方に延びている。シュータ５０は、排出口２８ａと同様に、左右一対のブロワ３０間の幅方向距離と略同一幅を有しており、シュータ５０の上側は凸状に湾曲して上端部が収容装置６０の上方位置に配置されている。このため、シュータ５０内を流れて上方に移動する残幹Ｚの断片はシュータ５０の上部から放出されて収容装置６０に移送される。
【００３４】
機体フレーム１０の後側には、シュータ５０から放出された残幹の断片を収容する前述した収容装置６０が配設されている。収容装置６０は、機体フレーム１０の後端部に設けられた支持部５１に掛止可能に保持される収容部５２を有する。
【００３５】
次に、本発明の切断装置２０を搭載した残幹処理装置１によって残幹処理作業を行う場合の動作について説明する。先ず、走行機体９０の後部に残幹処理装置１を装着し、走行機体９０が畝Ｕを跨ぐことができる位置に走行機体９０を設置する。そして、走行機体９０を畝Ｕに沿って前進走行させるとともに、走行機体９０からの動力を残幹処理装置１に伝達すると、残幹Ｚは走行機体９０の前進走行によって前側に向けて押し倒される。そして、前側に押し倒された残幹Ｚは、矢印Ａ方向に回転動する掘起ロータ１６によって、残幹Ｚの根部Ｚｎが下側から上側へすくい上げられて掘り起こされると共に、残幹Ｚは掘起ロータ１６の回転方向下流側に引き込まれる。
【００３６】
そして、掘起ロータ１６の回転により畝Ｕから掘り起こされて根部Ｚｎが先行するように搬送された残幹Ｚは、上下一対の搬送ローラ２１によって引き込まれて、上下一対の搬送ローラ２１、２２によって挟持された状態で後方側に送り出される。また、搬送ローラ２１、２２の表面に設けられた突起部２１ａ，２２ａによって残幹Ｚに付着した土等の異物がはね飛ばされる。なお、この落とされた土等は落下して、下部枠体１１の孔部１１ａを通って畝Ｕ上に落ちる。このため、この土が搬送ローラ２１、２２の周辺に貯留することはなく、搬送ローラ２１、２２の各部の動作をスムースに維持することができる。
【００３７】
そして、搬送ローラ２２によって搬送された残幹Ｚは、案内ローラ２３と案内板２４によって案内されて回転する切断ロータ２５に供給される。
切断ロータ２５は、この回転に伴ってブロワ３０の送風羽根３１も回転して外側ケース２８内に空気の旋回流を発生させる。また排出口２８ａ及びこれに連通するシュータ５０の幅は一対のブロワ３０の幅方向外側端部間の距離と略同一幅を有している。さらに切断刃２７は回転駆動軸２６の軸方向中央部を境にして軸方向中央振り分けでブロワ３０側に屈曲している。このため、切断刃２７によって細断された残幹Ｚの断片は、回転駆動軸２６の軸方向中央を境にして軸方向両側に略均等に分けられ、ブロワ３０によって発生した旋回流によって排出口側に移動する。つまり、残幹Ｚの断片は、切断刃２７によって細断されると略同時に、旋回流によって排出口側に移動する。
【００３８】
また、残幹Ｚに付着した土等の異物が残幹Ｚから完全に払い落とされていない状態で、切断ロータ２５に質量の大きい土等の異物が混入しても、この土等は排出口２８ａ側へ移送される。そして、細断された残幹Ｚの断片や土等の異物は、排出口２８ａから排出されてシュータ５０内を流れて放出される。従って、切断装置２０内に断片や土等が詰まる虞はない。
【００３９】
このように、複数の切断刃２７を有した切断ロータ２５の左右両側方に一対のブロワ３０を設け、切断ロータ２５を囲む外側ケース２８の後側上部に一対のブロワ３０の幅方向外側端部間の距離と略同一幅を有した排出口２８ａを設け、この排出口２８ａと同一幅を有して排出口２８ａに連通するシュータ５０を設けることで、ブロワ３０の吹き出し性能が向上して、残幹Ｚの断片や混入した土等の異物を迅速にシュータ５０から放出することができ、切断装置２０内で断片等が詰まる虞のない残幹処理装置１を提供することができる。
【図面の簡単な説明】
【００４０】
【図１】本発明の一実施の形態に係わる切断装置を搭載した残幹処理装置の側面図を示す。
【図２】本発明の一実施の形態に係わる残幹処理装置を示し、同図（ａ）は残幹処理装置の平面図であり、同図（ｂ）は残幹処理装置の部分背面図である。
【図３】従来の切断装置を搭載した残幹処理装置を示し、同図（ａ）は残幹処理装置の側面図であり、同図（ｂ）は残幹処理装置の平面図である。
【符号の説明】
【００４１】
１  残幹処理装置
１０  機体フレーム（機体）
１５  掘起装置
２０  切断装置
２１，２２  搬送ローラ
２６  回転駆動軸
２７  切断刃
３０  ブロワ
５０  シュータ
９０  走行機体
Ｚ  残幹（処理対象物）
Ｚｎ  根部
【図１】
2008295363.tif 000003
【図２】
2008295363.tif 000004
【図３】
2008295363.tif 000005